(57)【要約】      （修正有）【課題】安定した構成の省力型ステープラーを提供する。【解決手段】重心があって、基部集成体、綴じ針収容集成体、トリガー集成体から成る。綴じ針収容集成体は、その上部に蓋部２４があり、基部集成体へ接続されているトリガー集成体はトリガー・レバー３３と制限レバー３１とから構成され、基部集成体へ接続されている。制限レバーがトリガー・レバー３３および蓋部２４が旋回し過ぎるのを防止し、常に基部集成体上にステープラーの重心を保ったままにするので、綴じ針を再充填する時にステープラーを開いた状態にしても転倒することなく安定した状態にあるので、便利で使い勝手がよい。【選択図】図５
2009061573.tif 000002
【特許請求の範囲】
【請求項１】
重心と、
基部集成体であって、前方端部と、後方端部と、相対向する側部を有し、前記後方端部附近に前記側部から上方に突出する左右両翼部とを有する底部バーと、から成る基部を有する基部集成体と、
綴じ針収容集成体であって、
前方端部と、前記基部の後方端部に隣接した左右翼部の間に旋回自在に接続された後方接続端部と、その中に限定された窪み部と、から成る前記基部集成体に旋回可能に接続された綴じ針収容部と、前方端部と、前記基部の翼部の間に旋回可能に接続された後方接続端部とを有し、前記基部に旋回可能に接続され、前記綴じ針収容部の窪み部を選択的に覆う蓋部と、を有する綴じ針収容集成体と、
トリガー集成体であって、
前記蓋部の真上に位置付けられ前記基部に旋回可能の接続されたトリガー・レバーで、前方端部と、後方端部と、前記トリガー・レバーに形成され、前方端部と、基部上の各々の翼部に旋回可能に接続された後方接続端部と、前記前方端部及び後方接続端部の間に位置付けられ、ピン孔が形成された中間部とを有する左右相対向する接続タブと、前記トリガー・レバーの前方端部から下方へ垂直に突出し、綴じ針収容部の前方端部を選択的に伸張するようになる付勢用タブと、から成るトリガー・レバーと、
前記トリガー・レバーの真上に位置付けられ、前記基部に旋回可能に接続され、前記トリガー・レバーを選択的に押圧するようになる制限レバーで、前方端部と、後方端部と、前記制限レバーに形成されその間に隙間を形成して、各翼部に旋回可能に接続され且つ前記トリガー・レバーの後方端部の前方および真上に位置付けられる後方接続他端を有する左右の側部タブと、前記側部タブの長手方向に形成され且つ内側前方端部と内側後方端部と、を有する制限スロットと、から成る制限レバーと、
前記トリガー・レバーのピン孔と前記制限レバーにある制限スロットを貫通する摺動ピンであって、前記制限スロットに沿って摺動可能であり、該制限スロットの内側前方端部に対して選択的に押圧され、前記トリガー・レバーと前記蓋部とが綴じ針収容部と基部からそれ以上旋回し過ぎないように防止する摺動ピンと、を有するトリガー集成体と、から構成されることを特徴とするステープラー。
【請求項２】
左右各々の翼部は、後方の旋回用孔と、前記後方の旋回用孔より上方前方にある前方の旋回用孔と、円の中心として作用する前記後方の旋回用孔と同心に前記翼部を貫通して形成された円弧形状の湾曲スロット開口と、を有し、
前記基部集成体が、更に、基部の底部バー上に据え付けられ、綴じ針収容部に対して偏圧力を加える底部バネと、該後方の旋回孔を通して据付けられる後方蝶番ピンと、前記湾曲スロット開口を通って据え付けられ、該湾曲スロット開口に沿って摺動することのできる摺動蝶番ピンと、を有し、
前記綴じ針収容部の後方接続端部は、後方蝶番ピンがそこを通して据え付けられるようになる蝶番用孔を有し、
前記綴じ針収容部には、更に、その後方接続端部近くに形成され、前方の摺動蝶番ピンが据付けられる据付け用孔の形成された蝶番ピン用据付け部が配設されており、蓋部の後方接続端部は前記後方蝶番ピンと回転可能に係合する凹部が形成されており、前記トリガー・レバーそれぞれの接続用タブの後方接続端部には、後方蝶番ピンが据え付けられる蝶番ピン用孔が形成されており、前記制限レバーそれぞれの側方タブの後方接続端部には、前記各翼部の前方旋回用孔に回転可能に据え付けられる旋回用ボスが形成されている、ことを特徴とする請求項１記載のステープラー。
【請求項３】
前記蓋部の前方端部には、更に、左右それぞれにノッチが形成されており、
前記付勢用タブにはその底部両側に相対向して形成されたフック部があり、前記蓋部のそれぞれのノッチに選択的に係合され、
前記トリガー集成体は、更に、前記蓋部とトリガー・レバーとの間に内部バネが配設されている、ことを特徴とする請求項２記載のステープラー。
【請求項４】
前記基部集成体は、更に、その下部に底部カバーが装着され、基部を覆っており、前記トリガー集成体は、更に、前記制限レバーを覆う上方カバーと、前記制限レバーにある隙間を覆う隙間カバーと、を有することを特徴とする請求項３記載のステープラー。
【発明の詳細な説明】
【技術分野】
【０００１】
本発明はステープラーに関し、更に具体的に説明すると、使用時に力があまり要らず、また、ステープラーの綴じ針を充填するためにステープラーを開いた時、ステープラー構造全体が不安定になってひっくり返ったりしないように改良したステープラーに関するものである。
【背景技術】
【０００２】
ステープラーは会社のオフィスなどで通常に備わった文具であり、バラバラになっている文書や紙葉類を一緒に綴じるのに使われる。オフィスで文書を綴じる仕事をする人達は圧倒的に女性が多く、大量の文書を連続的に綴じてゆくのに必要な体力があまりない。文書をステープラーで綴じる場合、ステープラーのレバーを力一杯押付けて、複数枚の紙や文書にステープラーの綴じ針を貫通させなければならない。毎日、毎日、何百回もステープラーで綴じる仕事をすれば、掌や指がうずいたり痛くなったりしてしまう。
【０００３】
それ故、非力の人が使う場合でも力のあまり要らないステープラーが開発されてきた。このような省力型ステープラーは、基部と、綴じ針収容部と、トリガー集成体と、関節構造集成体とから成る。このような関節構造集成体を使用すれば、従来のステープラーに比べて、使用者は余り力をかけずに紙葉類を綴じることができるのは確かである。しかし、このような省力型ステープラーは、構造が複雑で、製造費がかかり、故に、市場価格も高くなってしまう。
【０００４】
更に、このような省力型のステープラーでも、あるいは、従来型のステープラーでも、綴じ針収容部に針を挿入するには、綴じ針収容部からトリガー集成体を離して旋廻させる必要があるが、これがステープラー本体の転倒を誘発することになる。
【０００５】
これらの欠点を解消するために、本発明は上記の問題を取り除くステープラーを提供するものである。
【発明の開示】
【発明が解決しようとする課題】
【０００６】
本発明の主な目的は、省力型であって、且つ、ステープラーに綴じ針を装填するためにステープラーを開いた時にひっくり返らないようなステープラーを提供することにある。
【課題を解決するための手段】
【０００７】
上述の目的を達成するため、本発明のステープラーは、重心があって、基部集成体、綴じ針収納集成体、トリガー集成体とから成る。
綴じ針収容集成体は、基部集成体に連結していて、蓋部がある。トリガー集成体は基部集成体に連結しており、トリガー・レバーと制限レバーとを有する。制限レバーは、トリガー・レバーと蓋部が旋廻し過ぎないように防止するもので、重心が常に基部集成体の上にあるようにする。
【発明の効果】
【０００８】
本発明のステープラーは、従来の省力型のステープラーとは異なり、構成が簡単であるが故に、製造しやすく、製造コストも格段に抑えることができる。
また、本発明では、制限レバーにより重心の移動を防止し、重心を常に基部集成体の上にあるように保つことができるため、綴じ針交換のときにステープラーを開いた不安定な状態にしても、ステープラーが転倒せず、安定して位置付けられるため、使い易く便利である。
【発明を実施するための最良の形態】
【０００９】
図１は本発明のステープラー１を前方から見た状態の斜視図で、図２は、図１とは反対側の後方から見た場合のステープラー１の斜視図である。
本発明のステープラー１は重心があって、基部集成体１０と、綴じ針収容集成体２０と、トリガー集成体３０とから構成されている。ステープラーの重心は、ステープラーの使用状態の部品間の構成によって決まる。
【実施例１】
【００１０】
更に、図３および４を参照して、以下に本発明のステープラー１の実施例について詳細に説明する。
【００１１】
基部集成体１０は、主に、基部１１と底部カバー部１２とから構成され、更に、底部バネ１３と、後方蝶番ピン１４と、摺動蝶番ピン１５とを備えている。
基部１１は、前方端部と、後方端部と、底部バーと、左右両側にそれぞれ翼部１１０がある。底部バーは相対向する側部がある。翼部１１０は底部バーの後方端部の近くでその両側部から突出している。各々の翼部１１０には後方の旋廻用孔１１１と、前方の旋廻用孔１１２と、湾曲形状のスロット開口１１３が形成されている。湾曲スロット１１３は円弧形状であって、円の中心として作用する後方の旋廻用孔１１１と同心に翼部１１０を貫通して形成されている。
【００１２】
底部バネ１３は基部１１の底部バー上に配置される。
後方の蝶番ピン１４は、翼部１１０の後方の旋廻用孔１１１に通されて配置される。
前方の摺動蝶番ピン１５は湾曲スロット１１３を通して配置され、湾曲スロット１１３の形状に沿って摺動できるようになっている。
基部カバー１２は基部１１の下方に配置され、基部１１を覆っている。
【００１３】
更に図５を参照すると、綴じ針収容部２１と蓋部２４とから成る綴じ針収容集成体２０が基部集成体１０へ旋廻可能に接続されている。綴じ針収容集成体２０には、更に、綴じ針支持部２２および圧縮バネ２３が配置されている。
【００１４】
綴じ針収容部２１は、前方端部と、後方接続端部、そして窪み部が形成されていて、蝶番ピン据付け部があり、底部バネ１３を押付けるようになっている。  
【００１５】
後方接続端部は基部１１の後方端部に隣接して左右の翼部１１０，１１０間に旋廻可能に接続され、後方の蝶番ピン１４が挿入される蝶番ピン用孔２１０が設けられている。綴じ針収容部２１には窪み部が形成されており、綴じ針をその中に保持する。蝶番ピン用据付け部は綴じ針収納部２１の後方接続端部近くに形成されていて、前方の摺動蝶番ピン１５が据付けられる据付け用孔２１１が配設されている。綴じ針収容集成体２１は摺動蝶番ピン１５によって保持されていて、摺動蝶番ピン１５が湾曲スロット１１３の開口端部にまで上昇摺動し切った時に、それ以上旋廻できないようになっている。
【００１６】
蓋部２４は前方端部および後方端部があり、基部１１に対して旋廻可能に接続され、綴じ針収容部２１の窪み部を選択的に覆うようになっている。蓋部２４の前方端部には、左右それぞれにノッチ２４１が形成されている。蓋部２４の後方接続端部は基部１１の翼部１１０，１１０間に旋廻可能に接続され、後方の蝶番ピン１４と回転可能に係合する凹部が配設されている。
綴じ針支持部２２は圧縮バネ２３に偏圧されて、綴じ針収容部２１の前方端部へ綴じ針を押付けて位置付けるように窪み部に摺動可能に配設されている。
【００１７】
トリガー集成体３０は、トリガー・レバー３３と、制限レバー３１と、摺動ピン３６と、内部バネ３５と、上部カバー３２と、隙間カバー３４とから成り、基部集成体１０へ旋廻可能に接続されていて、紙葉類を綴じ針収容部２１の綴じ針で綴じるように上から押付け可能になっている。
【００１８】
トリガー・レバー３３は前方端部と、後方端部、相対向する左右の接続用タブ３３１，３３１、そして付勢用タブ３３２から構成され、蓋部２４の真上に位置付けられて基部１１へ旋廻可能に接続される。トリガー・レバー３３に配置された各々の接続用タブ３３１は、前方端部と、後方接続用端部、そして中間介在部を有する。この後方接続用端部は蝶番ピン用の孔３１３が形成されていて、ここに後方蝶番ピン１４が装着され、基部集成体１０の各々の翼部１１０に旋廻可能に接続される。中間介在部は、前方端部と後方端部との間に配置されていて、左右両側にそれぞれピン用孔３３３が形成されている。トリガー・レバー３３３の前方端部から下方に向かって垂直に付勢用タブ３３２が配設されており、綴じ針収容部の前方端部の中に選択的に入り込むことで、基部１１の底部バーに対して綴じ針を押し付ける。付勢用タブ３３２の下端部両側部には相対向してフック部３３２１が形成されていて、蓋部２４のノッチ２４１と選択的に係合されるようになっている。トリガー・レバー３３を上に上げて旋廻させると、蓋部２４も上がって旋回し、綴じ針収容部２１が開かれる。
【００１９】
制限レバー３１は、前方端部、後方端部、左右両側のタブ３１１から構成され、トリガー・レバー３３の真上に位置付けられて、基部１１に旋回可能に接続され、トリガー・レバー３３を選択的に押圧する。制限レバー３１の後方端部の左右両側から後方へ伸張して配設されているタブ３１１，３１１はその間に隙間を形成して配設されている。各々のタブ３１１には、後方接続端部と制限スロット３１２が形成されおり、この後方接続端部をそれぞれの翼部１１０に旋回可能に接続して、トリガー・レバー３３の前方部および真上に位置付ける。後方接続端部には各々の側方タブ３１１から内方に向かって突出している旋回用ボスがあり、翼部１１０に形成されたそれぞれの前方旋回孔１１２に回転可能に据付けられる。制限スロット３１２が側方タブ３１１の長手方向に形成されており、内側前方端部および内側後方端部がある。
【００２０】
図６を参照してさらに説明する。
摺動ピン３６が、トリガー・レバー３３のピン用孔３３３及び制限レバー３１の制限スロット３１２を通過して嵌め込まれており、ステープラー使用時に、制限スロット３１２内を摺動するようになっている。トリガー・レバー３３とそれに係合されている蓋部２４とを共に旋回して、基部１１に対して実質的に垂直に持ち上げると、摺動ピン３６が制限スロット３１２の内側前方端部に当接し、トリガー・レバー３３と蓋部２４が綴じ針収容部２１及び基部１１からそれ以上旋回し過ぎないようにする。摺動ピン３６及び制限スロット３１２のこの協働作用により、ステープラーの重心が基部１１から外れるのを防止する。
更に、蓋部２４とトリガー・レバー３３の間には、内側バネ３５が配置されている。
そして、制限レバー３１の隙間部には、隙間カバー３４を被せる。
【００２１】
更に、図７を参照して説明する。
ステープラー１を使用する場合には、制限レバー３１をトリガー・レバー３３に対して上から手で押付けて、トリガー・レバー３３を押圧して押し下げることにより、付勢タブ３３２が綴じ針収容部に収容されている最先端の１本の針に当接して、その針を押し出す動作により、基部１１上にセットされた紙葉類が綴じられる。
【００２２】
図８を参照して、本発明のステープラーが省力型で使い勝手がよいことを証明する等式を下記に示す。この等式は、制限レバー３１の前方端部の入力（Ｆ１）と、摺動ピンに適用される内部力（Ｆ２）と、トリガー・レバー３３の前方端部に適用された出力（Ｆ３）とを含む。
【００２３】
制限レバー３１の長さと、摺動ピン３６から旋回ボス３１５までの距離との比率は、５である。トリガー・レバー３３の長さと、摺動ピン３６から後方蝶番用ピン１４までの距離との比率は、２である。
Ｆ１×５＝Ｆ２×１；  Ｆ２＝５Ｆ１；
Ｆ３×２＝Ｆ２×１；  ２Ｆ３＝５Ｆ１；
Ｆ３＝２.５Ｆ１
【００２４】
出力（Ｆ３）は入力（Ｆ１）の２.５倍であるので、本発明のステープラーは非常に省力型である。また、制限レバー３１が蓋部２４およびトリガー・レバー３３を旋回し過ぎないように防止して、ステープラーの重心が常に基部上に保たれるようにするので、綴じ針収容部に針を再充填するのが簡単に行なえて、便利である。
【００２５】
本発明では好ましい実施例を前述の通り開示したが、これらは決して本発明を限定するものではなく、当該技術を熟知する者なら誰でも、本発明の精神と領域を脱しない範囲内で各種の変更や修正を加えることができ、従って本発明の保護範囲は、特許請求の範囲で指定した内容を基準とする。
【図面の簡単な説明】
【００２６】
【図１】本発明のステープラーの前方から見た斜視図。
【図２】本発明のステープラーの後方から見た別の斜視図。
【図３】図１の上方部および底部を取り除いたステープラーの斜視図。
【図４】図１のステープラーの破断斜視図。
【図５】図３のステープラーの側面図。
【図６】図３のステープラーのトリガー集成体が開かれた状態の使用状態を示す側面図。
【図７】図３のステープラーのトリガー集成体が紙葉類を綴じるために下方へ押付けられた状態の使用状態を示す側面図。
【図８】図５に示すステープラー側面図で、３箇所の力線が示されている。
【符号の説明】
【００２７】
１      ステープラー
１０    基部集成体
１１    基部
１１０  翼部
１１１  後方の旋廻用孔
１１２  前方の旋廻用孔
１１３  湾曲形状のスロット開口
１２    底部カバー部
１３    底部バネ
１４    後方蝶番ピン
１５    摺動蝶番ピン
２０    綴じ針収容集成体
２１    綴じ針収容部
２１０  蝶番ピン用孔
２１１  据付け用孔
２２    綴じ針支持部
２３    圧縮バネ
２４    蓋部
２４１  ノッチ
３０    トリガー集成体
３１    制限レバー
３２    上部カバー
３３    トリガー・レバー
３３１  接続用タブ
３３２  付勢用タブ
３３３  トリガー・レバー
３４    隙間カバー
３５    内部バネ
３６    摺動ピン
【図１】
2009061573.tif 000003
【図２】
2009061573.tif 000004
【図３】
2009061573.tif 000005
【図４】
2009061573.tif 000006
【図５】
2009061573.tif 000007
【図６】
2009061573.tif 000008
【図７】
2009061573.tif 000009
【図８】
2009061573.tif 000010